(57)【要約】【課題】店舗における手間を軽減することができる呼び込みを行うための報知システムを提供する。【解決手段】報知システムは、管理装置と、端末装置とを含む報知システムであって、管理装置は、店舗から、店舗に関する臨時的な情報である臨時情報の登録を受け付ける登録部と、端末装置の位置を示す端末装置位置情報を受信する第１受信部と、店舗を識別する識別情報と、店舗の位置を示す店舗位置情報と、臨時情報とを対応付けて記憶する記憶部と、端末装置位置情報から所定範囲内にあり、臨時情報が対応付けられている店舗を特定する特定部と、特定部が特定した店舗の臨時情報を端末装置に送信する第１送信部とを備え、端末装置は、自端末装置の位置を示す端末装置位置情報を取得する取得部と、端末装置位置情報を送信する第２送信部と、臨時情報を受信する第２受信部と、受信した臨時情報を、当該臨時情報が対応する店舗の店舗位置情報と、端末装置位置情報との間の距離に応じた度合で報知する報知部とを備える。【選択図】図８
2018163486.tif 000002
【特許請求の範囲】
【請求項１】
管理装置と、端末装置とを含む報知システムであって、
前記管理装置は、
店舗から、店舗に関する臨時的な情報である臨時情報の登録を受け付ける登録部と、
前記端末装置の位置を示す端末装置位置情報を受信する第１受信部と、
店舗を識別する識別情報と、店舗の位置を示す店舗位置情報と、前記臨時情報とを対応付けて記憶する記憶部と、
前記端末装置位置情報から所定範囲内にあり、臨時情報が対応付けられている店舗を特定する特定部と、
前記特定部が特定した店舗の臨時情報を前記端末装置に送信する第１送信部とを備え、
前記端末装置は、
自端末装置の位置を示す端末装置位置情報を取得する取得部と、
前記端末装置位置情報を送信する第２送信部と、
前記臨時情報を受信する第２受信部と、
受信した臨時情報を、当該臨時情報が対応する店舗の店舗位置情報で示される位置と、前記端末装置位置情報で示される位置との間の距離に応じた度合で報知する報知部とを備える
報知システム。
【請求項２】
前記記憶部は、さらに、各店舗ごとに店舗を訪問するのに適した人数範囲を示す人数情報を対応付けて記憶し、
前記管理装置は、さらに、
前記端末装置のユーザが一人でいるか否かを判定する判定部を備え、
前記特定部は、さらに、前記ユーザが一人でいるか否かに応じて、前記人数情報を参照して前記ユーザの端末装置に送信する臨時情報を特定する
ことを特徴とする請求項１に記載の報知システム。
【請求項３】
前記第１受信部は、さらに、前記ユーザの端末装置の使用状況に関する状況情報を受信し、
前記判定部は、前記状況情報に基づいて、前記ユーザが一人であるか否かを判定することを特徴とする請求項２に記載の報知システム。
【請求項４】
前記記憶部は、さらに、臨時情報が登録された日時を、対応する店舗に対応付けて記憶し、
前記特定部は、さらに、前記日時が前記端末装置から端末装置位置情報を受信した日時に近い店舗を特定する
ことを特徴とする請求項１〜３のいずれか１項に記載の報知システム。
【請求項５】
前記記憶部は、さらに、ユーザ各々の嗜好を示す嗜好情報を記憶し、
前記特定部は、さらに、前記ユーザの嗜好情報に基づいて店舗を特定する
ことを特徴とする請求項１〜４のいずれか１項に記載の報知システム。
【請求項６】
前記報知部は、前記臨時情報を音声で報知する場合に、前記端末装置と店舗との間の距離に応じて、前記度合として音量を変化させて報知する
ことを特徴とする請求項１〜５のいずれか１項に記載の報知システム。
【請求項７】
前記端末装置は、さらに、自端末装置を振動させる振動部を備え、
前記報知部は、前記臨時情報を前記振動部による振動で報知する場合に、前記端末装置と店舗との間の距離に応じて、前記度合として振動量を変化させて報知する
ことを特徴とする請求項１〜６のいずれか１項に記載の報知システム。
【請求項８】
前記端末装置は、さらに、臨時情報を表示するための表示部を備え、
前記報知部は、前記端末装置と店舗との間の距離に応じて、前記度合として前記表示部を表示するバックライトの明度を変化させて表示する
ことを特徴とする請求項１〜７のいずれか１項に記載の報知システム。
【請求項９】
前記店舗は、前記臨時情報を報知するための報知部を備える
ことを特徴とする請求項１〜８のいずれか１項に記載の報知システム。
【請求項１０】
店舗からの臨時情報の登録を受け付ける登録部と、
ユーザの端末装置の位置を示す端末装置位置情報を受信する受信部と、
店舗の位置を示す店舗位置情報と、前記臨時情報とを対応付けて記憶する記憶部と、
前記端末装置位置情報から所定範囲内にあり、臨時情報が対応付けられている店舗を特定する特定部と、
前記特定部が特定した店舗の臨時情報を、当該臨時情報が対応する店舗の店舗位置情報で示される位置と前記端末装置位置情報で示される位置との間の距離に応じた度合で報知させる指示とともに前記端末装置に送信する送信部とを備える管理装置。
【請求項１１】
前記記憶部は、さらに、各店舗ごとに店舗を訪問するのに適した人数範囲を示す人数情報を対応付けて記憶し、
前記管理装置は、さらに、
前記ユーザが一人でいるか否かを判定する判定部を備え、
前記特定部は、さらに、前記ユーザが一人でいるか否かに応じて、前記人数情報を参照して前記ユーザの端末装置に送信する臨時情報を特定する
ことを特徴とする請求項１０に記載の管理装置。
【請求項１２】
前記受信部は、さらに、前記ユーザの端末装置の使用状況に関する状況情報を受信し、
前記判定部は、前記状況情報に基づいて、前記ユーザが一人であるか否かを判定することを特徴とする請求項１１に記載の管理装置。
【請求項１３】
前記記憶部は、さらに、臨時情報が登録された日時を、対応する店舗に対応付けて記憶し、
前記特定部は、さらに、前記日時が前記端末装置から端末装置位置情報を受信した日時に近い店舗を特定する
ことを特徴とする請求項１０〜１２のいずれか１項に記載の管理装置。
【請求項１４】
前記記憶部は、さらに、ユーザ各々の嗜好を示す嗜好情報を記憶し、
前記特定部は、さらに、前記ユーザの嗜好情報に基づいて店舗を特定する
ことを特徴とする請求項１０〜１３のいずれか１項に記載の管理装置。
【請求項１５】
自端末装置の位置を示す端末装置位置情報を取得する取得部と、
前記端末装置位置情報を送信する第２送信部と、
店舗に関する臨時の情報である臨時情報を受信する第２受信部と、
受信した臨時情報を、当該臨時情報が対応する店舗の店舗位置情報で示される位置と、前記端末装置位置情報で示される位置との間の距離に応じた度合で報知する報知部とを備える端末装置。
【請求項１６】
前記臨時情報には、店舗を訪問するのに適した人数範囲を示す人数情報を対応付けられており、
前記端末装置は、さらに、
自端末装置とともに帯同するユーザの人数を推定する推定部と、
前記推定部が推定したユーザの人数と、前記人数情報とに基づいて、報知する臨時情報を特定する特定部と、を備え、
前記報知部は、前記特定部が特定した臨時情報を報知することを特徴とする請求項１５に記載の端末装置。
【請求項１７】
前記端末装置は、さらに、
自端末装置の使用状況を判定する判定部を備え、
前記推定部は、前記判定部が判定した自端末装置の使用状況に応じてユーザが一人であるか否かを推定する
ことを特徴とする請求項１６に記載の端末装置。
【請求項１８】
前記端末装置は、さらに、自端末装置のユーザの嗜好を示す嗜好情報を記憶する記憶部を備え、
前記特定部は、さらに、前記ユーザの嗜好情報に基づいて店舗を特定する
ことを特徴とする請求項１５〜１７のいずれか１項に記載の端末装置。
【請求項１９】
前記報知部は、前記臨時情報を音声で報知する場合に、前記端末装置と店舗との間の距離に応じて、前記度合として音量を変化させて報知する
ことを特徴とする請求項１５〜１８のいずれか１項に記載の端末装置。
【請求項２０】
前記端末装置は、さらに、自端末装置を振動させる振動部を備え、
前記報知部は、前記臨時情報を前記振動部による振動で報知する場合に、前記端末装置と店舗との間の距離に応じて、前記度合として振動量を変化させて報知する
ことを特徴とする請求項１５〜１９のいずれか１項に記載の端末装置。
【請求項２１】
前記端末装置は、さらに、臨時情報を表示するための表示部を備え、
前記報知部は、前記端末装置と店舗との間の距離に応じて、前記度合として前記表示部を表示するバックライトの明度を変化させて表示する
ことを特徴とする請求項１５〜２０のいずれか１項に記載の端末装置。
【請求項２２】
管理装置と、端末装置とを含む報知システムにおける報知方法であって、
前記管理装置が、店舗から、店舗に関する臨時的な情報である臨時情報の登録を受け付ける登録ステップと、
前記端末装置が、自端末装置の位置を示す端末装置位置情報を取得する取得ステップと、
前記端末装置が、前記端末装置位置情報を送信する第１送信ステップと、
前記管理装置が、前記端末装置から、前記端末装置の位置を示す端末装置位置情報を受信する第１受信ステップと、
前記管理装置が、店舗を識別する識別情報と、店舗の位置を示す店舗位置情報と、前記臨時情報とを対応付けて記憶する記憶ステップと、
前記管理装置が、前記端末装置位置情報から所定範囲内にあり、臨時情報が対応付けられている店舗を特定する特定ステップと、
前記管理装置が、前記特定ステップにおいて特定した店舗の臨時情報を前記端末装置に送信する第２送信ステップと、
前記端末装置が、前記管理装置から前記臨時情報を受信する第２受信ステップと、
前記端末装置が、受信した臨時情報を、当該臨時情報が対応する店舗の店舗位置情報で示される位置と、前記端末装置位置情報で示される位置との間の距離に応じた度合で報知する報知ステップとを含む報知方法。
【請求項２３】
コンピュータに、
店舗からの臨時情報の登録を受け付ける登録機能と、
ユーザの端末装置の位置を示す端末装置位置情報を受信する受信機能と、
店舗の位置を示す店舗位置情報と、前記臨時情報とを対応付けて記憶する記憶機能と、
前記端末装置位置情報から所定範囲内にあり、臨時情報が対応付けられている店舗を特定する特定機能と、
前記特定機能が特定した店舗の臨時情報を、当該臨時情報が対応する店舗の店舗位置情報で示される位置と前記端末装置位置情報で示される位置との間の距離に応じた度合で報知させる指示とともに前記端末装置に送信する送信機能とを実現させる
報知プログラム。
【発明の詳細な説明】
【技術分野】
【０００１】
本発明は、店舗等による呼び込み等を行うための報知システム、管理装置、端末装置、報知方法、及び報知プログラムに関する。
【背景技術】
【０００２】
各種の店舗において、呼び込みを行いたくても、人員が足りなかったり、条例により禁止されていたりして、実行できないことがある。そこで、特許文献１においては、メッセージを交換し合っている端末に対して、そのメッセージの話題内容に応じた店舗の紹介を行う技術が開示されている。また、特許文献２には、客の要望に応じた接客、呼び込みを行うロボットが開示されている。また、特許文献３には、携帯端末装置が店舗の位置から所定範囲の距離にある場合に宣伝通知を行う技術が開示されている。
【先行技術文献】
【特許文献】
【０００３】
【特許文献１】特開２０１５−１０８９６８号公報
【特許文献２】特開２０１６−１１５２５７号公報
【特許文献３】特開２０１３−１０５２６５号公報
【発明の概要】
【発明が解決しようとする課題】
【０００４】
ところで、上記特許文献１に記載の技術においては、店舗の紹介を行うものの、店舗がその時々で、呼び込みを行いたい場合などに対応できるものではないという問題がある。また、特許文献に記載の技術の場合、予めロボットを用意しなければならないというコストがかかる手間があるという問題がある。また、特許文献３に記載の技術の場合、店舗から所定範囲の距離にある場合に宣伝通知を行うだけで、どの店舗であるかを明確に理解しにくいという問題がある。
【０００５】
そこで、本発明は上記問題に鑑みて成されたものであり、ユーザがよりわかりやすく呼び込みを行っている店舗がわかるように呼び込みを行う報知する報知システム、管理装置、端末装置、報知方法、報知プログラムを提供することを目的とする。
【課題を解決するための手段】
【０００６】
上記課題を解決するために、本発明の一態様に係る報知システムは、管理装置と、端末装置とを含む報知システムであって、管理装置は、店舗から、店舗に関する臨時的な情報である臨時情報の登録を受け付ける登録部と、端末装置の位置を示す端末装置位置情報を受信する第１受信部と、店舗を識別する識別情報と、店舗の位置を示す店舗位置情報と、臨時情報とを対応付けて記憶する記憶部と、端末装置位置情報から所定範囲内にあり、臨時情報が対応付けられている店舗を特定する特定部と、特定部が特定した店舗の臨時情報を端末装置に送信する第１送信部とを備え、端末装置は、自端末装置の位置を示す端末装置位置情報を取得する取得部と、端末装置位置情報を送信する第２送信部と、臨時情報を受信する第２受信部と、受信した臨時情報を、当該臨時情報が対応する店舗の店舗位置情報で示される位置と、端末装置位置情報で示される位置との間の距離に応じた度合で報知する報知部とを備える。
【０００７】
上記報知システムにおいて、記憶部は、さらに、各店舗ごとに店舗を訪問するのに適した人数範囲を示す人数情報を対応付けて記憶し、管理装置は、さらに、端末装置のユーザが一人でいるか否かを判定する判定部を備え、特定部は、さらに、ユーザが一人でいるか否かに応じて、人数情報を参照してユーザの端末装置に送信する臨時情報を特定することとしてもよい。
【０００８】
上記報知システムにおいて、第１受信部は、さらに、ユーザの端末装置の使用状況に関する状況情報を受信し、判定部は、状況情報に基づいて、ユーザが一人であるか否かを判定することとしてもよい。
【０００９】
上記報知システムにおいて、記憶部は、さらに、臨時情報が登録された日時を、対応する店舗に対応付けて記憶し、特定部は、さらに、日時が端末装置から端末装置位置情報を受信した日時に近い店舗を特定することとしてもよい。
【００１０】
上記報知システムにおいて、記憶部は、さらに、ユーザ各々の嗜好を示す嗜好情報を記憶し、特定部は、さらに、ユーザの嗜好情報に基づいて店舗を特定することとしてもよい。
【００１１】
上記報知システムにおいて、報知部は、臨時情報を音声で報知する場合に、端末装置と店舗との間の距離に応じて、度合として音量を変化させて報知することとしてもよい。
【００１２】
上記報知システムにおいて、端末装置は、さらに、自端末装置を振動させる振動部を備え、報知部は、臨時情報を振動部による振動で報知する場合に、端末装置と店舗との間の距離に応じて、度合として振動量を変化させて報知することとしてもよい。
【００１３】
上記報知システムにおいて、端末装置は、さらに、臨時情報を表示するための表示部を備え、報知部は、端末装置と店舗との間の距離に応じて、度合として表示部を表示するバックライトの明度を変化させて表示することとしてもよい。
【００１４】
上記報知システムにおいて、店舗は、臨時情報を報知するための報知部を備えることとしてもよい。
【００１５】
また、本発明の一態様に係る管理装置は、店舗からの臨時情報の登録を受け付ける登録部と、ユーザの端末装置の位置を示す端末装置位置情報を受信する受信部と、店舗の位置を示す店舗位置情報と、臨時情報とを対応付けて記憶する記憶部と、端末装置位置情報から所定範囲内にあり、臨時情報が対応付けられている店舗を特定する特定部と、特定部が特定した店舗の臨時情報を、当該臨時情報が対応する店舗の店舗位置情報で示される位置と端末装置位置情報で示される位置との間の距離に応じた度合で報知させる指示とともに端末装置に送信する送信部とを備える。
【００１６】
上記管理装置において、記憶部は、さらに、各店舗ごとに店舗を訪問するのに適した人数範囲を示す人数情報を対応付けて記憶し、管理装置は、さらに、ユーザが一人でいるか否かを判定する判定部を備え、特定部は、さらに、ユーザが一人でいるか否かに応じて、人数情報を参照してユーザの端末装置に送信する臨時情報を特定することとしてもよい。
【００１７】
上記管理装置において、受信部は、さらに、ユーザの端末装置の使用状況に関する状況情報を受信し、判定部は、状況情報に基づいて、ユーザが一人であるか否かを判定することとしてもよい。
【００１８】
上記管理装置において、記憶部は、さらに、臨時情報が登録された日時を、対応する店舗に対応付けて記憶し、特定部は、さらに、日時が端末装置から端末装置位置情報を受信した日時に近い店舗を特定することとしてもよい。
【００１９】
上記管理装置において、記憶部は、さらに、ユーザ各々の嗜好を示す嗜好情報を記憶し、特定部は、さらに、ユーザの嗜好情報に基づいて店舗を特定することとしてもよい。
【００２０】
また、本発明の一態様に係る端末装置は、自端末装置の位置を示す端末装置位置情報を取得する取得部と、端末装置位置情報を送信する第２送信部と、店舗に関する臨時の情報である臨時情報を受信する第２受信部と、受信した臨時情報を、当該臨時情報が対応する店舗の店舗位置情報で示される位置と、端末装置位置情報で示される位置との間の距離に応じた度合で報知する報知部とを備える。
【００２１】
上記端末装置において、臨時情報には、店舗を訪問するのに適した人数範囲を示す人数情報を対応付けられており、端末装置は、さらに、自端末装置とともに帯同するユーザの人数を推定する推定部と、推定部が推定したユーザの人数と、人数情報とに基づいて、報知する臨時情報を特定する特定部と、を備え、報知部は、特定部が特定した臨時情報を報知することとしてもよい。
【００２２】
上記端末装置において、端末装置は、さらに、自端末装置の使用状況を判定する判定部を備え、推定部は、判定部が判定した自端末装置の使用状況に応じてユーザが一人であるか否かを推定することとしてもよい。
【００２３】
上記端末装置において、端末装置は、さらに、自端末装置のユーザの嗜好を示す嗜好情報を記憶する記憶部を備え、特定部は、さらに、ユーザの嗜好情報に基づいて店舗を特定することとしてもよい。
【００２４】
上記端末装置において、報知部は、臨時情報を音声で報知する場合に、端末装置と店舗との間の距離に応じて、度合として音量を変化させて報知することとしてもよい。
【００２５】
上記端末装置において、端末装置は、さらに、自端末装置を振動させる振動部を備え、報知部は、臨時情報を振動部による振動で報知する場合に、端末装置と店舗との間の距離に応じて、度合として振動量を変化させて報知することとしてもよい。
【００２６】
上記端末装置において、端末装置は、さらに、臨時情報を表示するための表示部を備え、報知部は、端末装置と店舗との間の距離に応じて、度合として表示部を表示するバックライトの明度を変化させて表示することとしてもよい。
【００２７】
また、本発明の一態様に係る報知方法は、管理装置と、端末装置とを含む報知システムにおける報知方法であって、管理装置が、店舗から、店舗に関する臨時的な情報である臨時情報の登録を受け付ける登録ステップと、端末装置が、自端末装置の位置を示す端末装置位置情報を取得する取得ステップと、端末装置が、端末装置位置情報を送信する第１送信ステップと、管理装置が、端末装置から、端末装置の位置を示す端末装置位置情報を受信する第１受信ステップと、管理装置が、店舗を識別する識別情報と、店舗の位置を示す店舗位置情報と、臨時情報とを対応付けて記憶する記憶ステップと、管理装置が、端末装置位置情報から所定範囲内にあり、臨時情報が対応付けられている店舗を特定する特定ステップと、管理装置が、特定ステップにおいて特定した店舗の臨時情報を端末装置に送信する第２送信ステップと、端末装置が、管理装置から臨時情報を受信する第２受信ステップと、端末装置が、受信した臨時情報を、当該臨時情報が対応する店舗の店舗位置情報で示される位置と、端末装置位置情報で示される位置との間の距離に応じた度合で報知する報知ステップとを含む。
【００２８】
また、本発明の一態様に係る報知プログラムは、コンピュータに、店舗からの臨時情報の登録を受け付ける登録機能と、ユーザの端末装置の位置を示す端末装置位置情報を受信する受信機能と、店舗の位置を示す店舗位置情報と、臨時情報とを対応付けて記憶する記憶機能と、端末装置位置情報から所定範囲内にあり、臨時情報が対応付けられている店舗を特定する特定機能と、特定機能が特定した店舗の臨時情報を、当該臨時情報が対応する店舗の店舗位置情報で示される位置と端末装置位置情報で示される位置との間の距離に応じた度合で報知させる指示とともに端末装置に送信する送信機能とを実現させる。
【発明の効果】
【００２９】
本発明の一態様に係る報知システムにおいて、ユーザの端末装置は、店舗との間の距離に応じて、臨時情報を報知する。したがって、店舗は、人員を割くことなく、店舗への呼び込みを行うことができる。また、端末装置は、端末装置と店舗との間の距離に応じた度合での報知を行うことによって、ユーザに店舗を特定させやすくすることができる。また、ユーザも店舗の近くで店舗におけるサービスの内容を認識することができるので、サービスの内容が気に入れば、すぐにそのサービスを受けるために店舗に入店することができるようになる。また、ユーザの端末装置が店舗との間の距離に応じた度合いで報知を行うことにより、ユーザにとって得となる情報を見逃したりする可能性を低減することができる。
【図面の簡単な説明】
【００３０】
【図１】報知システムの構成例を示すブロック図である。
【図２】報知システムの詳細な構成例を示すブロック図である。
【図３】店舗情報のデータ構成例を示すデータ概念図である。
【図４】ユーザ情報のデータ構成例を示すデータ概念図である。
【図５】報知システムにより呼び込み処理を示すシーケンス図である。
【図６】管理装置の呼び込みにおける動作例を示すフローチャートである。
【図７】端末装置の呼び込みにおける動作例を示すフローチャートである。
【図８】（ａ）〜（ｄ）は、呼び込みの一具体例を示す概念図である。
【図９】報知システムの構成例を示すブロック図である。
【発明を実施するための形態】
【００３１】
以下、本発明の一実施態様に係る報知システムについて、図面を参照しながら詳細に説明する。
【００３２】
＜実施の形態＞
＜構成＞
図１は、呼び込みを行うための報知システム１の一構成例を示す概略図である。図１に示すように、報知システム１は、管理装置１００と、ユーザ３０の端末装置２００と、店舗４００の店舗端末４１０とを含む。なお、図１においては、図面を簡潔にするために、端末装置２００及び店舗端末４１０については１台の場合を示しているが、実際には複数存在してよい。管理装置１００は、ネットワーク３００を介して、１以上の端末装置２００、及び、１以上の店舗端末４１０と通信可能に接続されている。
【００３３】
店舗端末４１０は、店舗４００に属する店員等から、臨時の呼び込みを行うための臨時情報の入力を受け付けて、管理装置１００に送信する。店舗端末４１０は、例えば、店舗４００に備えられたＰＣやタブレット端末などにより実現されるコンピュータである。店舗端末４１０は、少なくとも、店員等から臨時情報の入力を受け付ける受付機能、受け付けた臨時情報を管理装置１００に送信する送信機能を備える。
【００３４】
管理装置１００は、店舗端末４１０から送信された臨時情報を受信し、受信した臨時情報を記憶する。
【００３５】
ユーザ３０の端末装置２００は、管理装置１００に対して、自機の位置を示す位置情報を送信する。
【００３６】
管理装置１００は、端末装置２００から送信された位置情報を受信すると、当該位置情報で示される位置から所定範囲内にある店舗の臨時情報を特定する。そして、管理装置１００は、特定した臨時情報を、位置情報を送信してきた端末装置２００に送信する。
【００３７】
端末装置２００は、管理装置１００から送信された臨時情報を受信すると、当該臨時情報で示される店舗との間の距離に応じた度合で、臨時情報を報知する。例えば、臨時情報が音声による呼び込みである場合に、店舗に近づくほど音量を上げていきながら臨時情報を報知し、遠ざかると、音量を下げながら臨時情報を報知する。したがって、端末装置２００を保持するユーザ３０は、どの店舗が臨時情報を発信しているのかを報知の度合から認識できるとともに、呼び込みを行っている店舗に関する情報（例えば、臨時のセールの情報など）を認識することができる。
【００３８】
ここから、報知システムについて更に詳細に説明する。図２は、報知システム１の詳細な構成例を示すブロック図である。図２に示すように、報知システム１は、管理装置１００と、端末装置２００とを含み、管理装置１００と端末装置２００とは、ネットワーク３００を介して通信を行う。なお、ここでは、管理装置１００及び端末装置２００を共に１台ずつ示したが、実際には、端末装置２００は多数存在する。また、管理装置１００も複数存在してもよい。
【００３９】
管理装置１００は、通信部１１０と、記憶部１２０と、制御部１３０とを備える。各機能部は、互いに、バス１４０を介して接続されている。管理装置１００は、例えば、一般的なサーバ装置としてのコンピュータシステムにより実現することができる。ここで、管理装置１００は、複数のプロセッサを備えて、各プロセッサによる並列処理により以降に示す処理を実行することとしてもよいし、管理装置１００が果たす機能を複数の管理装置による並列処理システムとして実現することとしてもよい。
【００４０】
通信部１１０は、ネットワーク３００を介して、端末装置２００と通信を実行する機能を有する。即ち、通信部１１０は、通信インターフェースとして機能する。通信部１１０は、第１受信部１１１と、第１送信部１１２としての機能を実行する。通信部１１０は、ネットワーク３００を介して、端末装置２００や、店舗の端末装置との通信が実行できれば、有線、無線のいずれで通信を行ってもよく、また、通信ができれば使用する通信プロトコルは問わないものとする。
【００４１】
第１受信部１１１は、各端末装置２００から送信された各々の位置を示す端末装置位置情報を受信する機能を有する。端末装置位置情報は、端末装置２００が備える測位システムにより測位された位置情報であって、経度情報、緯度情報を含む。また、第１受信部１１１は、各種の店舗に対応する端末装置（図示せず）から送信された臨時情報を受信する機能を有する。第１受信部１１１は、受信した情報を制御部１３０に伝達する機能を有する。臨時情報は、文字列情報、音声情報、画像情報、動画情報のいずれであってもよく、店舗のユーザにより作成された情報であり、例えば、呼び込みを行う内容の情報である。
【００４２】
第１送信部１１２は、制御部１３０からの指示に従って、制御部１３０から指定された情報を送信する機能を有する。例えば、第１送信部１１２は、制御部１３０から指定された臨時情報を、位置情報を送信してきた端末装置２００に送信する機能を有する。
【００４３】
記憶部１２０は、管理装置１００が動作上必要とする各種プログラム、各種データを記憶する機能を有する。記憶部１２０は、例えば、ＳＳＤ、ＨＤＤ、フラッシュメモリなどにより実現できるが、これらに限定されるものではない。記憶部１２０は、管理装置１００が、各端末装置２００に適した臨時情報を特定して送信する呼び込みプログラムを記憶する機能を有する。また、記憶部１２０は、各店舗についての情報である店舗情報３００や、報知システムを利用する各ユーザについての情報であるユーザ情報４００を記憶する機能も有する。店舗情報３００やユーザ情報４００の詳細については後述する。
【００４４】
制御部１３０は、記憶部１２０に記憶されている各種のプログラムを読み出して実行するプロセッサであって、管理装置１００の各部を制御する機能を有する。制御部１３０は、登録部１３１と、特定部１３２と、判定部１３３としての機能を実現する。
【００４５】
登録部１３１は、店舗から、店舗に関する臨時的な情報である臨時情報の登録を受け付ける機能を有する。即ち、登録部１３１は、第１受信部１１１から、店舗の端末装置からの臨時情報を受け付けると、対応する店舗の識別情報１２１に対応付けて、臨時情報１２３として、店舗情報３００に登録する機能を有する。ここで、臨時情報とは、例えば、店舗による呼び込みの情報であってよいが、これに限られるものではなく、宣伝広告などであってもよい。また、臨時情報は、文字情報、画像情報、動画情報、音声情報のいずれの形態であってもよく、それらの組み合わせであってもよい。
【００４６】
特定部１３２は、第１受信部１１１が受信した端末位置情報で示される位置から所定範囲内にあり、臨時情報１２３が対応付けられている店舗を特定する機能を有する。即ち、特定部１３２は、端末装置２００の端末装置位置情報に基づいて、その端末装置位置情報で示される位置から、所定範囲内にある店舗を特定する機能を有する。そして、特定部１３２は、特定した店舗に臨時情報１２３が対応付けられていた場合に、対応する臨時情報１２３を、対応する店舗位置情報１２２とともに、通信部１１０の第１送信部１１２に送信させる機能も有する。
【００４７】
判定部１３３は、ユーザの端末装置２００の使用状況を判定する機能を有する。ここで、使用状況を判定するとは、端末装置２００において報知を行ってもよいか否かを判定したり、ユーザが一人でいる状態で端末装置２００を使用（保持）しているか否かを判定したりすることを意味する。例えば、判定部１３３は、端末装置２００において音声を報知しても周囲の迷惑にならないか否かを、端末装置２００にイヤホンが接続されているか否かに応じて判定することで端末装置２００の使用状況を判定する機能を実現する。また、例えば、判定部１３３は、ユーザの端末装置２００から送信されてきた端末装置位置情報で示される位置から所定範囲内に、報知システム１を利用する他の端末装置が存在するか否かを、当該他の端末装置から送信される端末装置位置情報に基づいて判定する。そして、判定部１３３は、端末装置２００から所定範囲内に他の端末装置が存在する場合に、当該他の端末装置が、端末装置２００が移動する方向と同じ方向に向かって移動している否かに応じて、端末装置２００のユーザが一人でいるか否かを判定することにより、端末装置２００の使用状況を判定する機能を実現する。このとき、判定部１３３は、端末装置２００が移動する方向と同じ方向に向かって移動する他の端末装置の個数を計数することで、端末装置２００のユーザと帯同するユーザの人数を特定する機能も有する。なお、判定部１３３による端末装置２００の使用状況の判定の実現手法はこれに限定されるものではない。例えば、端末装置２００から送信される端末装置位置情報とともに、端末装置２００のユーザが端末装置２００に入力した帯同人数の情報を受信することによっても実現することができる。判定部１３３によるユーザの端末装置２００の使用状況に応じた臨時情報の報知の詳細については、後述する。
【００４８】
端末装置２００は、通信部２１０と、記憶部２２０と、制御部２３０と、位置情報取得部２４０と、振動部２５０と、表示部２６０と、音声出力部２７０とを備える。各機能部は、バス２８０を介して接続されている。端末装置２００は、例えば、携帯電話機、スマートフォン、タブレット端末、ＰＣなどにより実現することができる。
【００４９】
通信部２１０は、ネットワーク３００を介して、管理装置１００と通信を実行する機能を有する通信インターフェースである。通信部２１０は、第２受信部２１１と、第２送信部２１２としての機能を実現する。通信部２１０は、ネットワーク３００を介して、管理装置１００との通信が実行できれば、有線、無線のいずれで通信を行ってもよく、また、通信ができれば使用する通信プロトコルは問わないものとする。
【００５０】
第２受信部２１１は、管理装置１００から送信された臨時情報を受信する機能を有する。また、第２受信部２１１は、受信した臨時情報を制御部２３０に伝達する機能を有する。
【００５１】
第２送信部２１２は、制御部２３０からの指示に従って、制御部２３０から指定された情報を送信する機能を有する。例えば、第２送信部２１２は、位置情報取得部２４０が取得した端末装置位置情報であって、制御部１３０から指定された端末装置位置情報を、管理装置１００に送信する機能を有する。
【００５２】
記憶部２２０は、端末装置２００が動作上必要とする各種プログラム、各種データを記憶する機能を有する。記憶部２２０は、例えば、ＳＳＤ、ＨＤＤ、フラッシュメモリなどにより実現できるが、これらに限定されるものではない。記憶部２２０は、自端末で端末装置位置情報を取得して、管理装置１００に送信し、それに応じて管理装置１００から送信された臨時情報の報知を行うための報知プログラムを記憶する機能を有する。また、受信した臨時情報を一時的に記憶する機能も有する。
【００５３】
制御部２３０は、記憶部２２０に記憶されている各種のプログラムを読み出して実行するプロセッサであって、端末装置２００の各部を制御する機能を有する。制御部２３０は、上述の報知部２３１としての機能を実現する。制御部２３０は、位置情報取得部２４０が取得した位置情報を、通信部２１０に送信させる機能を有する。また、制御部２３０は、通信部２１０から、管理装置１００から送信された臨時情報１２３を受け付けると、位置情報取得部２４０が取得した現在位置と、各臨時情報１２３に対応する店舗位置情報で示される店舗位置との間の距離を算出する機能も有する。
【００５４】
報知部２３１は、第２受信部２１１が受信した臨時情報と、当該臨時情報が対応する店舗の店舗位置情報で示される位置と、端末装置２００の端末装置位置情報で示される位置との間の距離に応じた度合で報知する機能を有する。即ち、報知部２３１は、制御部２３０が算出した位置情報取得部２４０が取得した現在位置と、各臨時情報１２３に対応する店舗位置情報で示される店舗位置との間の距離に応じた度合で、臨時情報１２３を報知する機能を有する。報知部２３１による距離に応じた度合での報知とは、臨時情報が対応する店舗に端末装置２００が近づけば、その臨時情報をユーザが気づきやすいようにする報知のことをいう。例えば、臨時情報が音声情報の場合には、報知部２３１は、端末装置２００が店舗に近づくほど大音量での報知を行い、遠ざかれば、その音量を下げての報知を行うよう音声出力部２７０に指示する機能を有する。また、画像や文字列の表示による報知を行う場合には、報知部２３１は、端末装置２００が店舗に近づくほど表示画面における表示内容がより目立つように、例えば、文字フォントを大きくしていったり、表示画面の明るさを明るくしたりし、遠ざかれば、文字フォントを小さくしたり、表示画面の明るさを低減させたりするよう表示部２６０に指示する機能を有する。表示画面の明るさは、例えば、バックライトの明度を調整することにより変更することができる。また、報知部２３１は、店舗と自端末との間の距離に応じて、振動部２５０を振動させることで、報知を行ってもよく、その場合、店舗との間の距離が短くなるほど、振動の度合が大きくなるようにし、当該距離が長くなるほど、振動の度合が小さくなるようにして、報知を行う機能を有する。
【００５５】
位置情報取得部２４０は、端末装置２００の現在位置を示す端末装置位置情報を取得する機能を有する。位置情報取得部２４０は、端末装置位置情報を逐次取得し、取得するごとに、制御部２３０に伝達する機能を有する。位置情報取得部２４０は、例えば、ＧＰＳ（Global Positioning System）、ＧＮＳＳ（Global Navigation Satellite System）などの測位システムにより実現することができるが、これらのシステムに限定されるものではない。位置情報取得部２４０は、端末装置位置情報を、測位システムが測定した緯度情報及び経度情報として取得する機能を有する。緯度情報は、南北方向の地球上の座標を示す情報であり、経度情報は、東西方向の地球上の座標を示す情報である。
【００５６】
振動部２５０は、制御部２３０からの指示に従って、振動を発生する機能を有する。振動部２５０は、例えば、バイブレータにより実現することができる。
【００５７】
表示部２６０は、制御部２３０からの指示に従って、制御部２３０が指定した情報を表示する機能を有する。表示部２６０は、例えば、有機ＥＬ（Electro Luminescence）ディスプレイや、ＬＣＤ（Liquid Crystal Display）などにより実現することができるが、これらに限定されるものではない。
【００５８】
音声出力部２７０は、制御部２３０からの指示に従って、制御部２３０が指定した音声情報を出力する機能を有する。音声出力部２７０は、例えば、スピーカである。音声出力部２７０は、例えば、音声により臨時情報を出力する機能を有する。
【００５９】
ネットワーク３００は、管理装置１００と、端末装置２００との間の通信を中継する無線又は有線の通信ネットワークである。
【００６０】
以上が、報知システム１に係る各装置の構成の説明である。
【００６１】
＜データ＞
ここから、報知システム１において利用される情報について説明する。図３は、店舗情報３００のデータ構成例を示すデータ概念図である。店舗情報３００は、店舗に関する情報であって、管理装置１００が臨時情報を特定するための情報である。図３に示すように、店舗情報３００は、識別情報１２１と、店舗位置情報１２２と、臨時情報１２３と、人数情報１２４と、登録日時情報１２５と、特徴情報１２６が対応付けられた情報である。店舗情報３００は、ここに示した以外の情報が対応付けられてもよい。
【００６２】
識別情報１２１は、各店舗を一意に識別するための情報であり、例えば、店舗の名称や、店舗に固有に割り振られた番号などにより実現することができる。ここでは、名称を用いることとする。
【００６３】
店舗位置情報１２２は、対応する店舗の位置（所在）を示す情報であり、経度情報及び緯度情報により示される。
【００６４】
臨時情報１２３は、各店舗から登録される呼び込みを行うための情報であり、臨時的にユーザに配信される情報である。臨時情報１２３の内容は、各店舗のユーザが決定するものであり、文字列、画像、音声、動画のいずれであってもよい。臨時情報１２３は、店舗から登録されていなかった場合には、空欄となる。臨時情報１２３は、登録後には、以下の基準のいずれかに従って管理装置１００により削除される。基準としては、例えば、（ｉ）登録後一定時間が経過すると自動的に削除される、（ｉｉ）登録後に店舗の端末からの削除要求に従って削除される、（ｉｉｉ）臨時情報１２３の登録時に店舗の端末から設定されたタイミングで削除される、（ｉｖ）臨時情報１２３の登録時に削除日時情報も併せて登録して削除日時情報で示される日時になったタイミングで削除されるといった基準のいずれかであってよい。管理装置１００は、これらの基準の内の一つのみを採用することとしてもよいし、複数を併用することとしてもよい。複数の基準を採用する場合には、いずれの基準を用いるかを店舗端末から設定できる構成としてもよい。
【００６５】
人数情報１２４は、対応する店舗について、店舗側で決定した、訪問するのに適していると考えられる人数範囲を示す情報である。
【００６６】
登録日時情報１２５は、対応する臨時情報１２３が登録された日時を示す情報である。登録日時情報１２５は、制御部１３０により、臨時情報を店舗の端末から受信した日時として、登録される。
【００６７】
特徴情報１２６は、対応する臨時情報１２３の特徴を示す情報であり、店舗のユーザにより登録される情報である。特徴情報１２６は、ユーザの嗜好との合致をみる場合に参照される情報である。なお、特徴情報１２６は、管理装置１００の制御部２３０が、臨時情報１２３が文字列情報であれば、構文解析を行って抽出した情報であってもよいし、臨時情報１２３が音声情報であれば、音声解析を行って抽出した情報であってもよい。また、ここでは、特徴情報１２６は、臨時情報１２３の特徴を示す情報としているが、対応する店舗の特徴を示す情報であってもよい。
【００６８】
図３に示す例で言えば、「Ａ店」の所在は、「（Ｘ１、Ｙ１）」で示される位置にあり、臨時情報として、「活きのいい天然ものが入荷しました！先着…」という情報が登録されている。また、「Ａ店」を訪問するのに適した人図は、「４〜１２」人であり、対応する臨時情報１２３が登録された登録日時は、「２０１７年１２月２５日１７時１０分」であり、その特徴情報１２６から「天然もの」の「鰻」を扱っていることが理解できる。
【００６９】
以上が、店舗情報３００の詳細である。
【００７０】
次に、ユーザ情報４００について説明する。ユーザ情報４００は、報知システム１を利用する各ユーザの特徴を示す情報である。ユーザ情報４００は、図４に示すように、ユーザ情報４０１と、位置情報４０２と、性別情報４０３と、嗜好情報４０４と、履歴情報４０５とが対応付けられた情報であり、これ以外の情報、例えば、ユーザの年齢などの情報も対応付けられていてもよい。
【００７１】
ユーザ情報４０１は、報知システム１を利用する各ユーザを一意に特定するための情報である。ここでは、ユーザ情報４０１として、ユーザの名前を用いた例を示しているが、これは、名前に限らず、報知システム１上で割り当てられた番号などであってもよいし、ユーザが保持する端末の固有番号などであってもよい。
【００７２】
位置情報４０２は、対応するユーザが保持する端末装置２００の端末装置位置情報であり、経度情報及び緯度情報により示される。
【００７３】
性別情報４０３は、対応するユーザの性別を示す情報である。性別情報４０３は、例えば、ユーザに適した店舗を選択する際に、その性別に適した店舗を選択する際に利用することができる。
【００７４】
嗜好情報４０４は、対応するユーザの嗜好を示す情報であり、どのようなものを好み、どのようなものを嫌っているのかを示す情報である。当該情報は、各ユーザにより登録されてもよいし、管理装置１００が、ユーザが訪問したことのある店舗の履歴から、その店舗に共通する情報を好みの情報として登録することとしてもよい。
【００７５】
履歴情報４０５は、対応するユーザが過去に訪問したことがある店舗を示す情報であり、管理装置１００が臨時情報１２３を送信する際の店舗の選択の際に利用することができる。
【００７６】
以上がユーザ情報４００の説明である。
【００７７】
＜動作＞
ここから、報知システムにおける動作について説明する。なお、本発明は、臨時情報を報知するための臨時情報報知処理に含まれる一又は複数のステップを実行する報知方法の発明として捉えることができ、以降において説明する当該臨時情報報知処理に含まれる一又は複数のステップが適宜省略されてもよい。なお、上記臨時情報報知処理における各ステップは同様の作用効果を生じる範囲で実行順序が異なってもよい。さらに、ここでは制御部１３０によって当該臨時情報報知処理における各ステップが実行される場合を例に挙げて説明するが、複数のプロセッサによって当該臨時情報報知処理における各ステップが分散して実行される臨時情報の報知方法も他の実施形態として考えられる。以下、当該臨時情報報知処理について詳細に説明する。
【００７８】
図５は、報知システム１における報知に係るやり取りを示すシーケンス図である。図５に示すように、店舗のユーザ（例えば、店主）は、店舗の端末装置において呼び込みを行うための臨時情報を作成する。例えば、当該ユーザが呼び込み内容を話して、録音して得られる音声情報を臨時情報としてよい。店舗の端末装置は、作成した臨時情報と、当該店舗の情報とともに送信して、臨時情報の登録を管理装置１００に要求する（ステップＳ５０１）。
【００７９】
管理装置１００は、店舗の端末装置から受信した臨時情報を受信する（ステップＳ５０２）。管理装置１００は、受信した臨時情報を店舗情報３００に登録して記憶する。
【００８０】
一方、端末装置２００は、報知システム１による店舗からの呼び込みサービスを利用する場合に、端末装置位置情報を管理装置１００に送信する（ステップＳ５０３）。
【００８１】
管理装置１００は、端末装置２００から端末装置位置情報を受信すると、端末装置２００の現在位置から所定範囲内にある店舗を特定する（ステップＳ５０４）。
【００８２】
管理装置１００は、検索された店舗に対応付けられている臨時情報を特定する（ステップＳ５０５）。
【００８３】
そして、管理装置１００は、特定した臨時情報を、位置情報を送信してきた端末装置２００に送信する（ステップＳ５０６）。
【００８４】
端末装置２００は、臨時情報を受信する（ステップＳ５０７）。端末装置２００は、受信した臨時情報を一時的に記憶しておく。そして、臨時情報に対応付けられている店舗位置情報で示される店舗の位置と、端末装置２００の現在位置との間の距離に応じた度合で対応する臨時情報の報知を行う。
【００８５】
上述のような呼び込みを行う報知システム１を構成する管理装置１００及び端末装置２００についての動作を詳細に説明する。
【００８６】
図６は、図５におけるやり取りを実現するための管理装置１００の動作例を示すフローチャートである。
【００８７】
管理装置１００の第１受信部１１１は、情報を受信すると、当該情報が臨時情報であるか否かを判定する（ステップＳ６０１）。当該判定は、例えば、受信した情報のヘッダ情報を解析することにより実現することとしてよい。
【００８８】
受信した情報が臨時情報である場合に（ステップＳ６０１のＹＥＳ）、第１受信部１１１は、受信した臨時情報を、制御部１３０に伝達する。制御部１３０の登録部１３１は、当該臨時情報とともに受信した店舗情報で示される店舗に対応付けて、店舗情報３００に登録する（ステップＳ６０２）。より具体的には、登録部１３１は、受信した店舗情報と、店舗情報３００の識別情報１２１と、を比較して、一致する識別情報１２１に対応付けて臨時情報１２３を登録する。受信した情報が臨時情報ではない場合に（ステップＳ６０１のＮＯ）、管理装置１００は、ステップＳ６０３の処理に移行する。
【００８９】
第１受信部１１１は、情報を受信すると、当該情報が、端末装置２００の位置を示す端末装置位置情報であるか否かを判定する（ステップＳ６０３）。受信した情報が端末装置位置情報ではない場合には（ステップＳ６０３のＮＯ）、管理装置１００は、ステップＳ６０１の処理に戻り、次に新たな情報を受信するまで待機する。
【００９０】
受信した情報が端末装置位置情報である場合に（ステップＳ６０３のＹＥＳ）、第１受信部１１１は、制御部１３０に端末装置位置情報を伝達する。制御部１３０の特定部１３２は、端末装置位置情報を伝達されると、端末装置位置情報で示される位置から、所定範囲内（所定距離内）にある（存在する）店舗を、店舗情報３００の店舗位置情報１２２を参照して特定する（ステップＳ６０４）。
【００９１】
特定部１３２は、特定した店舗各々について、臨時情報１２３が対応付けられているか否かを、店舗情報３００を参照して判定する（ステップＳ６０５）。
【００９２】
ステップＳ６０４において特定した店舗に対して、臨時情報１２３が対応付けられていた場合には（ステップＳ６０５のＹＥＳ）、制御部１３０は、対応付けられていた臨時情報を抽出し、第１送信部１１２に送信させる。第１送信部１１２は、制御部１３０から指示された臨時情報を端末装置２００にネットワーク３００を介して送信する（ステップＳ６０６）。そして、管理装置１００は、次の情報を受信するまで待機する（ステップＳ６０１に戻る）。ステップＳ６０４において特定した店舗に対して、臨時情報１２３が対応付けられていなかった場合には（ステップＳ６０５のＮＯ）、管理装置１００は、次の情報を受信するまで待機する（ステップＳ６０１に戻る）。
以上が管理装置１００の動作である。図６に示す処理を繰り返すことにより、管理装置１００は、店舗端末からの臨時情報の登録と、端末装置に報知させる臨時情報の端末装置への送信を実現する。
【００９３】
次に、端末装置２００の動作について説明する。図７は、図５におけるやり取りを実現するための端末装置２００の動作例を示すフローチャートである。
【００９４】
端末装置２００の位置情報取得部２４０は、端末装置２００の現在位置を示す端末装置位置情報（例えば、緯度、経度）を取得する（ステップＳ７０１）。位置情報取得部２４０は、取得した端末装置位置情報を、制御部２３０に伝達する。
【００９５】
制御部２３０は、伝達された端末装置位置情報を、通信部２１０に送信させる。通信部２１０の第２送信部２１２は、伝達された端末装置位置情報を、ネットワーク３００を介して、管理装置１００に送信する（ステップＳ７０２）。
【００９６】
通信部２１０の第２送信部２１２が端末装置位置情報を送信した後、第２受信部２１１は、管理装置１００から臨時情報を受信しているか否かを判定する（ステップＳ７０３）。臨時情報を受信していない場合には（ステップＳ７０３のＮＯ）、端末装置２００は、ステップＳ７０１の処理に戻る。
【００９７】
臨時情報を受信していた場合には（ステップＳ７０３のＹＥＳ）、第２受信部２１１は、受信した臨時情報を制御部２３０に伝達する。制御部２３０の報知部２３１は、位置情報取得部２４０が取得した端末装置位置情報で示される現在位置から所定範囲内（所定距離内）に存在する店舗があるか否かを、臨時情報に対応付けられた店舗位置情報を参照して判定する（ステップＳ７０４）。なお、ステップＳ７０４における所定範囲と、図６のステップＳ６０４における所定範囲とはその範囲の広さが同じであってもよいし別の広さであってもよい。上述したとおり、ステップＳ７０４の所定範囲は、端末装置２００が店舗の臨時情報の報知を行うための判定に用いる範囲であり、ステップＳ６０４の所定範囲は、管理装置１００が臨時情報を抽出する店舗を特定するための判定に用いる範囲である。
【００９８】
現在位置から所定範囲内に存在する店舗がない場合には（ステップＳ７０４のＮＯ）、管理装置１００は、ステップＳ７０１の処理に戻る。現在位置から所定範囲内に存在する店舗がある場合（ステップＳ７０４のＹＥＳ）、報知部２３１は、現在位置から店舗までの距離を算出する（ステップＳ７０５）。
【００９９】
そして、報知部２３１は、算出した距離に応じた度合で臨時情報を報知する（ステップＳ７０６）。報知部２３１は、例えば、臨時情報が音声情報である場合には、音声出力部２７０に臨時情報を出力させ、臨時情報が文字列や画像情報である場合には、表示部２６０に臨時情報を出力させる。このとき、報知部２３１は、例えば、距離に基づいて音量を算出する関数を予め記憶しておくことで、端末装置２００が店舗に近いほど大音量で臨時情報を出力したり、距離に基づいてディスプレイのバックライトの明度を算出する関数を予め記憶しておくことで、端末装置２００が店舗に近いほど明るく臨時情報を出力したりするように、音声出力部２７０や表示部２６０に指示する。なお、当該関数に代えて、距離を所定距離ごとに区切り、各所定距離に応じた音量や明度を予め設定しておくことで、同様の効果を得ることとしてもよい。
【０１００】
このようにして、端末装置２００は、臨時情報を受け付けて、店舗に近づくと、その店舗の臨時情報を報知することができる。そして、店舗に近いほど、よりユーザにわかりやすく報知を行うので、端末装置２００のユーザは、近くの店舗の得する情報を認識することができる。
【０１０１】
以上が、端末装置２００の動作の説明である。
【０１０２】
＜報知の一具体例＞
図８を用いて、端末装置２００による呼び込みの報知の一例を説明する。なお、図８は、端末装置２００が、管理装置１００から臨時情報を受信した後の説明になる。
【０１０３】
図８（ａ）は、端末装置２００を保持するユーザ３０が、店舗「Ａ」に近づいている状態を示している。図８（ａ）においては、まだ、店舗「Ａ」から端末装置２００から遠い位置にあるため、端末装置２００は、比較的小さい音量で、店舗「Ａ」の臨時情報の内容を報知する。
【０１０４】
図８（ａ）に示す状態から、端末装置２００を保持するユーザ３０が、店舗「Ａ」に近づいたとする。即ち、図８（ｂ）に示すような状態になったとする。すると、端末装置２００は、店舗「Ａ」と端末装置２００との間の距離が短くなったので、図８（ａ）に示す状態よりも大きい音量で、臨時情報の内容を報知する。
【０１０５】
そして、図８（ｃ）に示すように、ユーザ３０が店舗「Ａ」の近くを素通りして、遠ざかっていく場合には、端末装置２００は、店舗Ａの臨時情報を報知する音量を下げていく。
【０１０６】
そして、図８（ｄ）に示すように、ユーザ３０が今度は、店舗「Ｂ」に近づいていくと、端末装置２００は、店舗「Ｂ」の臨時情報を、店舗「Ｂ」と端末装置２００との間の距離に応じた度合で、報知する。
【０１０７】
＜まとめ＞
各店舗は、臨時に呼び込み等を行うための臨時情報を、管理装置１００に登録することができ、管理装置１００は、端末装置２００各々に、それぞれの位置に応じた臨時情報を配信することができる。そして、端末装置２００は、自端末の位置と店舗の位置との間の距離に応じた度合で臨時情報の報知を行うことができる。したがって、各店舗においては、人が呼び込みを行う必要がなく、店舗における手間を軽減することができるとともに、更なる集客が望める。また、端末装置２００を保持するユーザにおいては、近くにある店舗の有用な情報を認知することができる。
【０１０８】
＜補足＞
上記実施の形態に係る装置は、上記実施の形態に限定されるものではなく、他の手法により実現されてもよいことは言うまでもない。以下、各種変形例について説明する。
【０１０９】
（１）上記実施の形態においては、特に記載していないが、報知システム１は、以下のような処理を行ってもよい。即ち、臨時情報が音声情報や動画情報の場合、管理装置１００の判定部１３３が端末装置２００の状態（使用状況）に応じた報知を行うか否かを判定してから、報知部２３１による報知を行うこととしてもよい。臨時情報が音声情報など音を伴う場合に、臨時情報の報知を行うと、周囲の迷惑になる可能性がある。そこで、管理装置１００は、端末装置２００の使用状況を判定することで、端末装置２００において報知を行ってよいかどうかを判定し、その判定に応じて報知を行うこととしてもよい。また、判定部１３３の機能を端末装置２００が有し、端末装置２００において報知を実行するか否かを判定してから、その判定に応じて報知することとしてもよい。
【０１１０】
例えば、端末装置２００が判定部１３３としての機能を有する場合に、端末装置２００は、ステップＳ７０３とステップＳ７０４との間や、ステップＳ７０４の後などにおいて、端末装置２００にイヤホンが接続されているか否かを判定し、イヤホンが接続されている場合にのみ、臨時情報の報知を行うこととしてもよい。なお、イヤホンが接続されているか否かの判定は、従来から行われているので、詳細については割愛する。
【０１１１】
また、あるいは、端末装置２００は、管理装置１００に対して、端末装置２００にイヤホンを装着しているか否かを示す情報を送信し、管理装置１００の判定部１３３が端末装置２００がイヤホンを装着していると判定した場合にのみ、管理装置１００は、臨時情報を端末装置２００に送信する構成としてもよい。
【０１１２】
また、それ以外にも、端末装置２００が判定部１３３を備える場合に、判定部１３３は、報知を行う前に、端末装置２００の表示部２６０に、報知を行ってもよいかどうかを問いかけるＵＩ（User Interface）を表示し、その表示したＵＩに対する端末装置２００のユーザの入力に応じて、報知を行うか否かを判定することとしてもよい。また、端末装置２００は、端末装置位置情報を送信する前に、ユーザに報知を行ってもよいかどうかを問いかけるＵＩを表示し、報知を行ってもよい入力を行ってもよいとの入力を受け付けた場合にのみ、管理装置１００に端末装置位置情報を送信する構成としてもよい。
【０１１３】
また、端末装置２００が判定部１３３を備える場合に、判定部１３３は、端末装置２００の使用状況として、特定のプログラム（例えば、呼び込みを行うための呼び込みプログラムや、端末装置を使用していることと認定することができるプログラム（例えば、ゲームプログラム））を実行しているか否かによって、報知を行うか否かを判定してもよい。特定のプログラムを実行している場合には、ユーザが端末装置２００を使用していると特定できるので、報知を行う構成としてもよい。また、管理装置１００が判定部１３３を備える場合には、端末装置２００は、端末装置位置情報を送信するときに、実行しているプログラムの情報を共に送信し、管理装置１００の判定部１３３は、実行しているプログラムに応じて、端末装置２００の使用状況を判定して、時情報を送信するか否かを判定することとしてもよい。
【０１１４】
このように、端末装置２００の状態（使用状況）に応じて、管理装置１００あるいは端末装置２００は、報知の実行の是非を判定してもよい。したがって、端末装置２００は、その使用状況に適した報知を行うことができる。
【０１１５】
（２）上記実施の形態においては、特に記載していないが、報知システム１は、端末装置２００のユーザが、他人と帯同しているか否かに応じて、報知する臨時情報を変更することとしてもよい。
【０１１６】
例えば、端末装置２００は、位置情報を送信する際に、ユーザから帯同人数の入力を受け付けて、その人数情報も併せて送信することとしてもよい。そして、管理装置１００の判定部１３３は、受信した人数情報から帯同人数を判定して、店舗情報３００の人数情報１２４の人数範囲に適合する店舗の臨時情報のみを抽出することとしてもよい。
【０１１７】
また、端末装置２００と帯同している他のユーザの人数は、管理装置１００の判定部１３３が推定することとしてもよい。例えば、報知システム１において、各ユーザがサービスの提供を受けるためのユーザ登録をしている場合に、各ユーザの端末装置から端末装置位置情報を取得することができる。そこで、判定部１３３は、端末装置２００から位置情報を受け付けたときに、その近傍に他のユーザの端末装置が存在するか否かを判定する。そして、存在する場合に、さらに、その他のユーザの端末装置が同じ方向に向かって移動しているか否かによって、帯同する人数を判定（推定）することとしてもよい。このとき、更に、判定部１３３は、一定時間以上、他のユーザの端末装置が端末装置２００と同じ方向に向かっているか否かを判定することとしてもよい。
【０１１８】
また、あるいは、端末装置２００にイヤホンが接続されているか否かによって、ユーザが一人でいるか、他人とともにいるかを判定することとしてもよい。端末装置２００にイヤホンを接続している場合には、端末装置２００のユーザは、他のユーザと帯同していないと言える。そこで、端末装置２００から端末装置位置情報を送信する際に、イヤホンを接続していることを示す情報も併せて送信し、その場合に、管理装置１００は、人数情報１２４で示される人数が、一人や少人数向けの店舗の中から、臨時情報を特定することとしてもよい。そして、管理装置１００は、端末装置２００にイヤホンが接続されていない場合には、複数人数用の店舗の中から臨時情報を特定することとしてもよい。
【０１１９】
また、端末装置２００が人数を判定する判定部１３３を備える場合には、管理装置１００は、上記実施の形態に示したように臨時情報を送信する際に対応する人数情報も併せて送信する。これを受けて、端末装置２００の判定部１３３が、判定した人数に応じて報知する臨時情報を選択するように構成することとしてもよい。端末装置２００の判定部１３３が人数を判定する手法としては、例えば、端末装置２００のユーザから人数の入力を受け付けることにより判定したり、あるいは、端末装置２００に友だちとして登録されている端末との間で近距離無線通信が実行できるかどうかによって判定したりすることとしてもよい。これにより、端末装置２００のユーザの人数に関する状況に適した店舗についての臨時情報の報知を行うことができるので、よりユーザに適した店舗の紹介を行うことができる。
【０１２０】
（３）上記実施の形態においては、音声出力や、画像出力などにより報知を行う例を示したが、端末装置２００は、振動部２５０に、店舗が近づくほど大きく振動させる構成を備えることで臨時情報があることを端末装置２００のユーザに認知させることとしてもよい。振動部２５０による振動での報知を行うことで、音声による出力ができない状態や、ユーザが端末装置２００の表示部２６０を見ていない状態においても、臨時情報の存在を、ユーザに認識させることができる。
【０１２１】
（４）上記実施の形態においては、特に記載していないが、管理装置１００は、端末装置２００のユーザの嗜好に合わせて、臨時情報を抽出する店舗を特定することとしてもよい。
【０１２２】
即ち、管理装置１００は、端末装置位置情報を送信してきた端末装置２００を保持するユーザを特定し、そのユーザに対応する嗜好情報４０４を、ユーザ情報４００を参照して特定する。そして、管理装置１００の特定部１３２は、その嗜好情報４０４と合致する店舗情報３００の特徴情報１２６を特定する。そして、特定部１３２は、特定した特徴情報１２６に対応する店舗の臨時情報１２３を、呼び込みを行うための情報として、端末装置２００に送信する。
【０１２３】
これにより、報知システム１は、店舗による呼び込みを行うことができるだけでなく、ユーザにとって、好みの店舗からの呼び込みの報知を行うことができる。
【０１２４】
また、ここでは、管理装置１００がユーザの嗜好に合致する店舗を特定することとしたが、端末装置２００が特定することとしてもよい。この場合、管理装置１００は、抽出した臨時情報に対応付けて店舗の特徴情報も送信し、端末装置２００がユーザの嗜好に合致する店舗を特定する特定部を備えることによって同様の構成を実現することができる。
【０１２５】
（５）上記実施の形態においては、管理装置１００の特定部１３２は、端末装置位置情報で示される端末の位置から所定範囲内の店舗を特定することとしたが、これはその他の手法により特定することとしてもよい。例えば、地図上において、当該地図をメッシュ状のエリアに分割し、端末装置がどのエリアに存在するかを特定し、そのエリアに存在する店舗を特定するという手法で店舗を特定することとしてもよい。
【０１２６】
（６）上記実施の形態において、報知システム１に係る店舗が、臨時情報を報知する報知部を備えることとしてもよい。当該報知部は、例えば、店舗外部に設けられたスピーカや、店舗に設けられたモニター等により実現することができる。この場合、店舗の端末装置は、管理装置１００あるいはユーザの端末装置２００から、端末装置２００の端末装置位置情報を受信し、店舗に近づいてきたことを検知して、報知を行うようにするとよい。これにより、店舗においても、人に頼らずに呼び込みを行うことができる。
【０１２７】
（７）上記実施の形態において、報知システム１において、管理装置１００の特定部１３２は、端末装置２００が端末装置位置情報を送信してきた日時に登録日時が近い臨時情報を特定することとしてもよい。即ち、端末装置位置情報を受信した日時と、店舗情報３００の日時情報１２５とを比較して、その差分が一定時間内（例えば、２時間以内）の臨時情報を特定して、端末装置２００に送信することとしてもよい。また、当該臨時情報の特定は、端末装置２００側で行うこととしてもよく、その場合に、管理装置１００は、臨時情報に対応付けて、その登録日時情報も端末装置２００に送信することによって、同様の構成を実現できる。これにより、より情報としての鮮度が高い臨時情報の報知を行うことができる。
【０１２８】
（８）上記実施の形態においては、特に記載していないが、臨時情報１２３は、適宜店舗のユーザが登録後に削除することとしてもよいし、管理装置１００が、一定時間が経過したことを条件に、削除することとしてもよい。また、端末装置２００が受信した臨時情報も、受信してから一定時間経過後に、報知を無効化する処理を行ってもよい。無効化する処理の一例としては、例えば、受信して一時的に記憶している臨時情報を削除することが考えられる。
【０１２９】
（９）上記実施の形態においては、特に記載していないが、ユーザ情報４００の履歴情報４０５は、各店舗について、来店回数を対応付けておいてもよい。また、管理装置１００は、店舗の選択を行う際には、履歴情報４０５で示される店舗とは異なる店舗の臨時情報１２３を、端末装置２００に送信する構成としてもよい。また、逆に、履歴情報４０５を参照して、ユーザが何度も足を運んだ店舗（来店回数が所定回数以上の店舗）に臨時情報１２３が対応付けられている場合には、その臨時情報１２３を、端末装置２００に送信する構成としてもよい。これにより、ユーザにとって新規となる店舗の提示を行ったり、ユーザが繰り返し訪れる店舗についての情報をユーザに提供したりすることができる。
【０１３０】
（１０）上記実施の形態においては、端末装置２００は、報知を行うタイミング及びその報知の度合を自身で判定することとしているが、これは、管理装置１００からの指示に基づくものであってもよい。
【０１３１】
（１１）また、上記実施の形態においては、報知システムによる臨時情報（呼び込み）を報知する手法として、管理装置１００及び端末装置２００のプロセッサが報知プログラム等を実行することにより、報知することとしているが、これは管理装置や端末装置において、集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。すなわち、図９に示すように、管理装置１００は、第１通信回路１１０ａと、記憶回路１２０ａと、制御回路１３０ａとを備える。同様に端末装置２００は、第２通信回路２１０ａと、制御回路２３０ａと、位置情報取得回路２４０ａとを備える。そして、管理装置１００及び端末装置２００の各回路は、上記実施の形態に示した同名の各機能部と同様に機能することとしてよい。
【０１３２】
また、上記報知プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記報知プログラムは、当該報知プログラムを伝送可能な任意の伝送媒体（通信ネットワークや放送波等）を介して上記プロセッサに供給されてもよい。本発明は、上記報知プログラムが電子的な伝送によって具現化された、搬送波に埋め込まれたデータ信号の形態でも実現され得る。
【０１３３】
なお、上記報知プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【０１３４】
（１２）上記実施の形態に示した実施例および＜補足＞に示した各構成は、適宜組み合わせることとしてもよい。また、管理装置１００及び端末装置２００における動作は、整合がとれる範囲内で、その実行順序を変更したり、並列実行したりしてもよい。
【符号の説明】
【０１３５】
１００  管理装置
１１０  通信部
１１１  第１受信部
１１２  第１送信部
１２０  記憶部
１３０  制御部
１３１  登録部
１３２  特定部
１３３  判定部
１４０  バス
２００  端末装置
２１０  通信部
２１１  第２受信部
２１２  第２送信部
２２０  記憶部
２３０  制御部
２３１  報知部
２４０  位置情報取得部
２５０  振動部
２６０  表示部
２７０  音声出力部
２８０  バス
【図１】
2018163486.tif 000003
【図２】
2018163486.tif 000004
【図３】
2018163486.tif 000005
【図４】
2018163486.tif 000006
【図５】
2018163486.tif 000007
【図６】
2018163486.tif 000008
【図７】
2018163486.tif 000009
【図８】
2018163486.tif 000010
【図９】
2018163486.tif 000011